(57)【要約】      （修正有）【課題】ジャックの終結領域におけるクロストークに対する改良及びジャック間の終結処置のばらつきを制御する。【解決手段】  ワイヤ封じ込めキャップ１０４は、該ワイヤ封じ込めキャップを通して、ねじれワイヤ対を回送するため、ねじれ対スロットを有する。ねじれ対スロットは、ワイヤ封じ込めキャップの後端部からワイヤ封じ込めキャップのワイヤスロットへと、ねじれワイヤ対を回送することを援助するため、漏斗形状の入口が備え付けられている。ワイヤ封じ込めキャップは、遮蔽式又は非遮蔽焦点距離のいずれかで提供されてもよく、通信ジャック１００アッセンブリで使用するように構成される。【選択図】図１
2007059392.tif 000002
【特許請求の範囲】
【請求項１】
通信コネクターで使用するための、後端部と前端部とを有するワイヤ封じ込めキャップであって、
通信ケーブルを受け入れるように構成された、前記後端部の近傍の開口部であって、該開口部は、該開口部内における前記通信ケーブルのねじれワイヤ対の分離を可能にするため十分な空間を有する、前記開口部と、
前記開口部に隣接した、第１及び第２のねじれ対スロットであって、該ねじれ対スロットは、漏斗形状のスロット入口を有し、前記第１及び第２のねじれ対スロットは、前記通信ケーブルの前記ねじれワイヤ対のうち少なくとも２つを受け入れると共に、前記ねじれワイヤ対を前記ワイヤ封じ込めキャップの前端部に向かって回送するように構成されている、前記第１及び第２のねじれ対スロットと、  
前記第１及び第２のねじれ対スロットを分離する後柱部と、
を備える、ワイヤ封じ込めキャップ。
【請求項２】
前記後端部の近傍に配置され、張力軽減クリップを各々案内し、ラッチするように構成された、張力軽減案内スロット及び張力軽減ラッチ歯を更に備える、請求項１に記載のワイヤ封じ込めキャップ。
【請求項３】
前記開口部の下側端部に配置され、前記ケーブルのための下側支持部として機能するように構成されたサドル領域を更に備える、請求項２に記載のワイヤ封じ込めキャップ。
【請求項４】
前記第１及び第２のねじれ対スロットの各々は、ねじれ対の幅とほぼ同じである幅を有する、請求項１に記載のワイヤ封じ込めキャップ。
【請求項５】
前記ねじれ対スロットの各々は、前記幅のほぼ２倍である高さを有する、請求項４に記載のワイヤ封じ込めキャップ。
【請求項６】
前記ワイヤ封じ込めキャップの前記前端部に向かって延在し、前記第１及び第２のねじれ対スロットの間に配置された、前柱部を更に備える、請求項１に記載のワイヤ封じ込めキャップ。
【請求項７】
上側ワイヤスロット及び下側ワイヤスロットを更に備え、該上側及び下側ワイヤスロットの各々は、前記通信ケーブルの個々のワイヤを保持するように構成されたワイヤ拘束部を有する、請求項１に記載のワイヤ封じ込めキャップ。
【請求項８】
前記ワイヤ封じ込めキャップは、遮蔽ケーブルで使用するように構成され、前記張力軽減案内スロット、前記張力軽減ラッチ歯、及び、前記サドル領域は、導電性材料から構成されている、請求項３に記載のワイヤ封じ込めキャップ。
【請求項９】
通信コネクターで使用するための、後端部と前端部とを有するワイヤ封じ込めキャップであって、
通信ケーブルを受け入れるように構成された、前記後端部の近傍の開口部であって、該開口部は、該開口部内における前記通信ケーブルのねじれワイヤ対の分離を可能にするため十分な空間を有する、前記開口部と、
前記開口部に隣接した、複数のねじれ対孔であって、該ねじれ対孔は、漏斗形状のスロット入口を有し、前記ねじれ対孔の各々は、前記通信ケーブルの前記ねじれワイヤ対のうち１つを受け入れると共に、前記ねじれワイヤ対を前記ワイヤ封じ込めキャップの前端部に向かって回送するように構成されている、前記複数のねじれ対孔と、  
前記ねじれ対孔を分離する後柱部と、
前記ねじれ対孔の対を更に分離する後部セパレータリブと、
を備える、ワイヤ封じ込めキャップ。
【請求項１０】
前記後端部の近傍に配置され、張力軽減クリップを各々案内し、ラッチするように構成された、張力軽減案内スロット及び張力軽減ラッチ歯とを更に備える、請求項９に記載のワイヤ封じ込めキャップ。
【請求項１１】
前記開口部の下側端部に配置され、前記ケーブルのための下側支持部として機能するように構成されたサドル領域を更に備える、請求１０に記載のワイヤ封じ込めキャップ。
【請求項１２】
前記ねじれ対孔の各々は、ねじれ対の幅とほぼ同じである幅を有する、請求項９に記載のワイヤ封じ込めキャップ。
【請求項１３】
前記ワイヤ封じ込めキャップの前記前端部に向かって延在する、前柱部を更に備える、請求項９に記載のワイヤ封じ込めキャップ。
【請求項１４】
上側ワイヤスロット及び下側ワイヤスロットを更に備え、該上側及び下側ワイヤスロットの各々は、前記通信ケーブルの個々のワイヤを保持するように構成されたワイヤ拘束部を有する、請求項９に記載のワイヤ封じ込めキャップ。
【請求項１５】
前記漏斗形状孔入口は、前記上側及び下側ワイヤスロットの各々に向かって角度が付けられ、これにより、前記通信ケーブルのワイヤをそれらの対応するワイヤスロットにより接近して回送する、請求項１４に記載のワイヤ封じ込めキャップ。
【請求項１６】
前記ワイヤ封じ込めキャップは、遮蔽ケーブルで使用するように構成され、前記張力軽減案内スロット、前記張力軽減ラッチ歯、及び、前記サドル領域は、導電性材料から構成されている、請求項１１に記載のワイヤ封じ込めキャップ。
【請求項１７】
通信プラグに接続し、通信ケーブルの個々のワイヤを終結するための通信ジャックアッセンブリであって、
前記通信プラグと連結するように構成された前方ジャック部と、
前記前部に取り付けるように構成され、後端部と前端部とを有するワイヤ封じ込めキャップと、
を備え、前記ワイヤ封じ込めキャップは、
前記通信ケーブルを受け入れるように構成された、前記後端部の近傍の開口部であって、該開口部は、該開口部内における前記通信ケーブルのねじれワイヤ対の分離を可能にするため十分な空間を有する、前記開口部と、
前記開口部に隣接した、第１及び第２のねじれ対スロットであって、該ねじれ対スロットは、漏斗形状のスロット入口を有し、前記第１及び第２のねじれ対スロットは、前記通信ケーブルの前記ねじれワイヤ対の２つを受け入れると共に、前記ねじれワイヤ対を前記ワイヤ封じ込めキャップの前端部に向かって回送するように構成されている、前記第１及び第２のねじれ対スロットと、  
前記第１及び第２のねじれ対スロットを分離する後柱部と、
を備える、通信ジャックアッセンブリ。  
【請求項１８】
前記後端部の近傍に配置され、張力軽減クリップを各々案内し、ラッチするように構成された、張力軽減案内スロット及び張力軽減ラッチ歯とを更に備える、請求項１７に記載の通信ジャックアッセンブリ。
【請求項１９】
前記開口部の下側端部に配置され、前記ケーブルのための下側支持部として機能するように構成されたサドル領域を更に備える、請求項１８に記載の通信ジャックアッセンブリ。
【請求項２０】
前記ワイヤ封じ込めキャップは、遮蔽ケーブルで使用するように構成され、前記張力軽減案内スロット、前記張力軽減ラッチ歯、及び、前記サドル領域は、導電性材料から構成されている、請求項１９に記載の通信ジャックアッセンブリ。
【発明の詳細な説明】
【技術分野】
【０００１】
本出願は、２００５年８月８日に出願された米国仮特許出願番号６０／７０６，３７号の利益を請求する。本出願は、２００４年８月４日に出願された米国仮特許出願番号６０／５９８，６４０号、２００４年１２月１７日に出願された米国仮特許出願番号６０／６３６，９７２号、及び、２００４年１２月１７日に出願された米国仮特許出願番号６０／６３７，２４７号をここで参照したことでそれらの全体を組み込んでいる。
【０００２】
本発明は、概して、電気コネクターに係り、より詳しくは、改善されたワイヤ封じ込めキャップを備えた規格式通信ジャックの設計に関する。
【背景技術】
【０００３】
通信産業では、送信速度が着実に上昇してきたので、ジャック及び／又はプラグ内で近接して隔てられた平行コンダクター間の容量性及び誘導性カップリングに起因したクロストークが益々問題となってきている。改善したクロストークの性能を備えた規格式コネクターは、需要が益々増した標準規格に合致するように設計された。これらのコネクターの多くは、ジャックの前方端部、即ち、プラグがジャックに挿入されるところに最も近い端部で補償することによってクロストークの問題に取り組んできた。しかし、ジャックの後部において絶縁変位接触子（ＩＤＣ）ターミナルへと終結したワイヤ対は、ジャックの性能に影響を及ぼし得る。
【０００４】
ワイヤ対をジャックのＩＤＣターミナルに終結させるとき存在する一つの問題は、ジャックのクロストーク性能に関して終結処置が有するその効果である。４つのワイヤ対を備えたねじれ対のケーブルが整列され、ジャックのＩＤＣターミナルに終結されたとき、ワイヤ対は、別のワイヤ対の上方又は下方にひっくり返す必要があり得る。ワイヤ対の個々のコンダクターは、ねじれが解かれ、異なるワイヤ対からコンダクターに近接して配置されてもよい。これらのコンダクターの両方は、終結領域において意図しないカップリングを生じさせ、ジャックのクロストーク性能を劣化させ得る。かくして、ジャックの終結領域におけるクロストークに取り組んだ解決法が望まれている。
【０００５】
ワイヤ対をジャックのＩＤＣターミナルに終結させるときの第２の問題が存在する。技術者は、典型的には、ねじれた対ケーブルのワイヤ対をジャックの適切なＩＤＣターミナルへ適切に終結させることが要求されている。技術者により終結された各々のジャックは、同様のクロストーク性能を持つべきである。これは、焼結処置をジャック間で首尾一貫したものにすることを要求している。しかし、異なる設置者は、ワイヤ対を分離し、それらを適切なＩＤＣターミナルに回送するため僅かに異なる技術を使用しかねない。かくして、ジャック間の終結処置のばらつきを制御する解決法が望まれている。
【０００６】
ワイヤ対をジャックのＩＤＣターミナルに終結するときに生じる最終的な問題は、終結プロセスの困難さである。典型的なジャックは、技術者にとってほとんど援助とはならず、時折、誤った終結処置を導くことがある（例えば、ワイヤがジャック内の間違った位置で終結される）。たとえ詳細な指令がジャックに備えられたとしても、技術者は、ジャックを設置する前には、当該指令を読むことはできない。更には、終結プロセスが異なったジャックは、技術者にとって設置時間を増大させ、顧客には設置にかかるコストが高くなるという結果をもたらす。かくして、終結プロセスを簡単にすると共に技術者のエラーの可能性を最小にしたジャックの解決法が望まれている。
【発明の開示】
【課題を解決するための手段】
【０００７】
本出願は、ワイヤを保持するため複数のリテイナーを備える第１の側部と、該第１の側部の反対側の第２の側部と、該第１の側部及び該第２の側部の間に延在する２つの側壁と、該第１の側部及び該第２の側部の間にあるワイヤ対孔又はスロットと、を有するワイヤ封じ込めキャップを提供することにより、従来技術の欠点に対処する。
【０００８】
通信ジャックアッセンブリも開示される。通信ジャックは、保持クリップを備える前部と、ワイヤ封じ込めキャップとを備え、該ワイヤ封じ込めキャップは、該ワイヤ封じ込めキャップを前部に固定するための保持凹部を有する。ワイヤ封じ込めキャップは、ワイヤを保持するための複数のリテイナーを備える第１の側部と、該第１の側部の反対側の第２の側部と、該第１の側部及び該第２の側部の間に延在する２つの側壁と、該第１の側部及び該第２の側部の間にあるワイヤ対孔又はスロットと、を有する。
【０００９】
本発明に係るワイヤ封じ込めキャップ及び通信ジャックアッセンブリは、遮蔽式又は非遮蔽式の実施例のいずれに提供されてもよい。更には、本発明に係るワイヤ封じ込めキャップの第２の側部は、スロットと、一体型の張力軽減クリップの使用を可能とする他の特徴と、が備え付けられていてもよい。
【実施例】
【００１０】
図１は、本発明の一実施例に係る通信ジャック１００の右上前部から見た斜視図である。通信ジャック１００は、前部１０２と、ワイヤ封じ込めキャップ１０４とを備える。前部１０２は、プラグインターフェース接触子等の部品と、ジャックをプラグに連結するための機構と、クロストーク補償回路と、ジャックと通信ケーブルとの間の電気的接続を提供するためのワイヤ変位接触子と、を備える。以下、ワイヤ封じ込めキャップ１０４に関する追加の詳細事項を図３乃至図１１を参照して説明する。
【００１１】
図２は、図１の通信ジャック１００の右上前部から見た部分分解図である。図示の実施例では、ワイヤ封じ込めキャップ１０４は、前部１０２内に摺動可能に取り付けられている。ワイヤ封じ込めキャップ１０４を前部１０２に固定するため、前部１０２上の保持クリップ１０６と、ワイヤ封じ込めキャップ１０４上の保持凹部１０８と、が備えられていてもよい。保持ラッチ１１０も図２の実施例に設けられている。他の取り付け及び固定技術も使用してもよい。
【００１２】
図３乃至図１１は、ワイヤ封じ込めキャップ１０４を更に詳細に示している。ワイヤ封じ込めキャップ１０４は、ケーブルを挿入することを可能にすると共に、対が、ＩＤＣターミナルに向かって移動するとき対を短距離内で分離することを可能にするため後部内に大型開口部１１２を備えている。ワイヤ封じ込めキャップ１０４の背部は、２００４年１２月１７日に出願され、「一体型張力軽減クリップを備えたワイヤ封じ込めキャップ」と題された米国仮特許出願番号６０／６３６，９７２号に示され、記載されているような張力軽減クリップと適合するため、張力軽減案内スロット１１４と張力軽減ラッチ歯１１６とを有する。肩部１１７は、ワイヤ封じ込めキャップ１０４の後部に沿って左右側部に設けられている。
【００１３】
開口部１１２は、漏斗形状のスロット入口１２０を有する２つのスロット１１８への容易なアクセスを提供する。後柱部１２２は、スロットをワイヤ封じ込めキャップ１０４の後部及び前柱部１２４に向かって分離し、図３に示されるように、ワイヤ封じ込めキャップ１０４の前部でワイヤ対を分離する。サドル領域１２６は、ケーブルが張力軽減クリップによりクリップされているときケーブルのためのより低い支持部として機能する。
【００１４】
本発明の好ましい実施例では、ワイヤは、ワイヤがスロット１１８内に挿入される前に、ワイヤ封じ込めキャップ１０４の後部に向かって分離され、必要時に交錯される。サドル領域１２６は、十分に低く、後背部１２２は、設置者に、スロット１１８の後側上で必要時にワイヤを分離し、交錯させ又はひっくり返すための十分な余空間を提供するため、ワイヤ封じ込めキャップ１０４の後部から十分にオフセットされている。このスリップが必要となり得る一つの理由は、ねじれ対ケーブルの一方の端部上のワイヤ対レイアウトが、ねじれ対ケーブルの反対側の端部上のワイヤ対レイアウトの鏡像であるからである。このひっくり返しが起こり得る別の理由は、遠隔通信工業協会（ＴＩＡ）標準規格が、構造化されたケーブルシステムを、２つの異なる配線態様を使用して配線することを可能にしているからである。最終的には、必ずしも全てのケーブルが同じ対レイアウトを持っているとは限らないので、ひっくり返しが起こり得る。
【００１５】
設置を完了するために、技術者は、適切なスロット１１８を通してワイヤ対を配置し、図３に示されるように、上側及び下側のワイヤ拘束部１２８及び１３０に個々のワイヤ対を固定し、ワイヤ封じ込めキャップ１０４を通信ジャック１００の前部１０２に取り付けすることだけが必要となる。
【００１６】
スロット１１８は、ワイヤがスロット１１８に挿入された後、ワイヤの横方向又は垂直方向のシフトが、減少されるか又は無くされるようにサイズが定められるのが好ましい。好ましい実施例では、ワイヤ封じ込めキャップ１０４は、例えば、熱可塑性物質等のプラスチック材料から構成される。代替の材料、形状及びサブコンポーネントを、図３乃至図１１に示されたものの代わりに利用することもできる。
【００１７】
肩部１１７は、図１及び図２に示される前部１０２に関する正確な物理的位置にワイヤ封じ込めキャップ１０４を配置するための支持及び停止機構として機能する。代替の支持及び／又は停止機構として、前部１０２上に配置された機構か、又は、図１及び図２に示された外側への当接ではなく前部１０２の内部位置に当接するような位置でワイヤ封じ込めキャップ１０４上に配置された機構等を使用することもできる。
【００１８】
ワイヤ封じ込めキャップ１０４の追加の詳細構成が図５乃至図１１に示されている。図５は、スロット１１８と漏斗形状のスロット入口１２０とを示すワイヤ封じ込めキャップ１０４の後面図である。
【００１９】
図６は、ワイヤ封じ込めキャップ１０４の右側面図である。
図７は、スロット１１８と、前柱部１２４と、上側及び下側ワイヤ拘束部１２８、１３０とを示すワイヤ封じ込めキャップ１０４の前面図である。
【００２０】
図８は、保持凹部１０８と、保持ラッチ１１０と、上側ワイヤ拘束部１２８とを示すワイヤ封じ込めキャップ１０４の頂面図である。
図９は、下側ワイヤ拘束部１３０を示すワイヤ拘束キャップ１０４の底面図である。
【００２１】
図１０は、図６のラインＡ−Ａに沿ってワイヤ封じ込めキャップ１０４の断面図である。後柱部１２２及び前柱部１２４は、下側ワイヤ拘束部１３０と共に、見える態様で示されている。図１０ａは、ケーブル１３３から発して、ねじれ対スロット１１８を通って回送された、ねじれたワイヤ対１３１を更に示す図１０の断面図を示している。
【００２２】
図１１は、図７のラインＢ−Ｂに沿って取られたワイヤ封じ込めキャップ１０４の断面図であり、スロット１１８と、漏斗形状の入口１２０とを示している。張力軽減ラッチ歯１１６も図１１に示されている。図１１ａは、ケーブル１３３から発して、ねじれ対スロット１１８を通って上側及び下側ワイヤスロット１２７、１２９へと回送された、ねじれたワイヤ対１３１を更に示す図１１の断面図を示している。図１１ｂは、図１１ａと類似の図であるが、ねじれ対スロット１１８内で交錯され、且つ、反対側ワイヤスロット１２７、１２９に向かって回送されたねじれワイヤ対１３１を示している。
【００２３】
ここで図１２を参照すると、本発明の一実施例に係る遮蔽ワイヤ封じ込めキャップ２０４が示されている。遮蔽ワイヤ封じ込めキャップ２０４の後部２０５は、金属から構成されている。金属部分は、張力軽減案内スロット２１４の後部と、張力軽減ラッチ歯２１６と、サドル領域２２６と、を備える。遮蔽ワイヤ封じ込めキャップ２０４の前部２０７は、プラスチックから構成されるのが好ましい。
【００２４】
遮蔽ワイヤ封じ込めキャップ２０４のスロット２１８及びスロット入口２２０は、より大きい直径を備えたワイヤと適合するため、ワイヤ封じ込めキャップ１０４のスロット１１８よりも大きい。張力軽減案内スロット２１４とサドル領域２２６とは、ワイヤ封じ込めキャップ１０４で使用されるケーブルよりも大きい直径を有する遮蔽ケーブルで使用するため変形されている。ワイヤ封じ込めキャップ１０４と同様に、遮蔽ワイヤ封じ込めキャップ２０４の後部開口部の回りの領域２１２と、後柱部２２２のセットバックとは、設置者によりワイヤがスロット２１８内に挿入される前にワイヤの交錯のための十分な空間を提供する。
【００２５】
遮蔽ワイヤ封じ込めキャップ２０４の追加の詳細構成が、上記した図５乃至図１１におけるワイヤ封じ込めキャップ１０４の図示と同様に、図１４乃至図２０に示されている。遮蔽ワイヤ封じ込めキャップ２０４及び後述する他のワイヤ封じ込めキャップの構成要素は、ワイヤ封じ込めキャップ１０４における同様の構成要素と同様の番号が付されている。
【００２６】
図２１乃至図２９は、ワイヤ対を受け入れるため近接して隔てられたワイヤ対孔３０９を備えたワイヤ封じ込めキャップ３０４を示している。孔入口３１１（図２に示される）は、ワイヤ対を孔入口３１１に挿入する前に設置者が必要とする、ワイヤ対を交錯するための余空間を提供するため、ワイヤ封じ込めキャップ３０４の後端部からオフセットされている。孔入口３１１は、漏斗形状の入口表面が設けられているのが好ましい。一実施例によれば、孔３０９は、約０．６４ｃｍ（約０．２５インチ）のコンダクター直径を備えた、ねじれ対を受け入れるようにサイズが定められている。後柱部３２２及び後部セパレータリブ３２３は、孔入口３１１を互いから分離している。
【００２７】
図３０乃至図３８は、４つのワイヤ対孔４０９を有するワイヤ封じ込めキャップ４０４を示しており、これらのワイヤ対孔は、ワイヤ封じ込めキャップ３０４のワイヤ対孔３０９よりもそれらの前端部において、より遠くへ離れるように間隔を隔てられている。一実施例によれば、孔４０９は、約０．１ｃｍ（約０．０４０インチ）のコンダクター直径を備えた、ねじれ対を受け入れるようにサイズが定められている。ワイヤ封じ込めキャップ４０９の孔入口４１１は、ワイヤ封じ込めキャップ３０９の孔入口３１１よりもワイヤ封じ込めキャップ４０９の中心から離れる方により鋭く角度が付けられている。これは、ワイヤ対を孔４０９から出させ、ワイヤ封じ込めキャップ３０９内で生じたワイヤの位置よりも、対応する上側及び下側ワイヤの拘束部４２８及び４３０に、より接近させる。
【００２８】
図３９乃至図４７は、本発明の別の実施例に係る遮蔽ワイヤ封じ込めキャップ５０４を示している。遮蔽ワイヤ封じ込めキャップ５０４は、上記した、ワイヤ対孔３０９及び４０９よりも大きい４つのワイヤ対孔５０９を有する。より大きいワイヤ対孔５０９は、より大きい直径を備えたコンダクターを有する遮蔽ケーブルで使用するためのものである。上述された、遮蔽ワイヤ封じ込めキャップ２０４に類似して、遮蔽ワイヤ封じ込めキャップ５０４は、金属から構成された後部５０５を有する。張力軽減案内スロット５１４及びサドル領域５２６も、遮蔽ケーブルで使用するように変形されている。
【図面の簡単な説明】
【００２９】
【図１】図１は、本発明の実施例に係るワイヤ封じ込めキャップを有する通信ジャックの右上前部から見た斜視図である。
【図２】図２は、図１の通信ジャックの右上前部から見た部分分解図である。
【図３】図３は、本発明の実施例に係るワイヤ封じ込めキャップの右上前部から見た斜視図である。
【図４】図４は、図３のワイヤ封じ込めキャップの右上後部から見た斜視図である。
【図５】図５は、図３のワイヤ封じ込めキャップの後面図である。
【図６】図６は、図３のワイヤ封じ込めキャップの右側面図である。
【図７】図７は、図３のワイヤ封じ込めキャップの前面図である。
【図８】図８は、図３のワイヤ封じ込めキャップの頂面図である。
【図９】図９は、図３のワイヤ封じ込めキャップの底面図である。
【図１０】図１０は、図６のラインＡ−Ａに沿って取られた断面図である。
【図１０ａ】図１０ａは、ケーブル及び該ケーブルのねじれたワイヤ対を更に示す、図１０の断面図である。
【図１１】図１１は、図７のラインＢ−Ｂに沿って取られた断面図である。
【図１１ａ】図１１ａは、ケーブル及び該ケーブルのねじれたワイヤ対を更に示す、図１１の断面図である。
【図１１ｂ】図１１ｂは、ケーブル及び該ケーブルの交錯ねじれワイヤ対を更に示す、図１１の断面図である。
【図１２】図１２は、本発明の一実施例に係る遮蔽ワイヤ封じ込めキャップの右上前部から見た斜視図である。
【図１３】図１３は、図１２のワイヤ封じ込めキャップの右上後部から見た斜視図である。
【図１４】図１４は、図１２のワイヤ封じ込めキャップの後面図である。
【図１５】図１５は、図１２のワイヤ封じ込めキャップの左側面図である。
【図１６】図１６は、図１２のワイヤ封じ込めキャップの前面図である。
【図１７】図１７は、図１２のワイヤ封じ込めキャップの頂面図である。
【図１８】図１８は、図１２のワイヤ封じ込めキャップの底面図である。
【図１９】図１９は、図１５のラインＣ−Ｃに沿って取られた断面図である。
【図２０】図２０は、図１６のラインＤ−Ｄに沿って取られた断面図である。
【図２１】図２１は、本発明の一実施例に係るワイヤ封じ込めキャップの右上前部から見た斜視図である。
【図２２】図２２は、図２１のワイヤ封じ込めキャップの右上後部から見た斜視図である。
【図２３】図２３は、図２１のワイヤ封じ込めキャップの後面図である。
【図２４】図２４は、図２１のワイヤ封じ込めキャップの右側面図である。
【図２５】図２５は、図２１のワイヤ封じ込めキャップの前面図である。
【図２６】図２６は、図２１のワイヤ封じ込めキャップの頂面図である。
【図２７】図２７は、図２１のワイヤ封じ込めキャップの底面図である。
【図２８】図２８は、図２４のラインＥ−Ｅに沿って取られた断面図である。
【図２９】図２９は、図２５のラインＦ−Ｆに沿って取られた断面図である。
【図３０】図３０は、本発明の一実施例に係るワイヤ封じ込めキャップの右上前部から見た斜視図である。
【図３１】図３１は、図３０のワイヤ封じ込めキャップの右上後部から見た斜視図である。
【図３２】図３２は、図３０のワイヤ封じ込めキャップの後面図である。
【図３３】図３３は、図３０のワイヤ封じ込めキャップの右側面図である。
【図３４】図３４は、図３０のワイヤ封じ込めキャップの前面図である。
【図３５】図３５は、図３０のワイヤ封じ込めキャップの頂面図である。
【図３６】図３６は、図３０のワイヤ封じ込めキャップの底面図である。
【図３７】図３７は、図３３のラインＧ−Ｇに沿って取られた断面図である。
【図３８】図３８は、図３４のラインＨ−Ｈに沿って取られた断面図である。
【図３９】図３９は、本発明の一実施例に係る遮蔽ワイヤ封じ込めキャップの右上前部から見た斜視図である。
【図４０】図４０は、図３９のワイヤ封じ込めキャップの右上後部から見た斜視図である。
【図４１】図４１は、図３９のワイヤ封じ込めキャップの後面図である。
【図４２】図４２は、図３９のワイヤ封じ込めキャップの左側面図である。
【図４３】図４３は、図３９のワイヤ封じ込めキャップの前面図である。
【図４４】図４４は、図３９のワイヤ封じ込めキャップの頂面図である。
【図４５】図４５は、図３９のワイヤ封じ込めキャップの底面図である。
【図４６】図４６は、図４２のラインＩ−Ｉに沿って取られた断面図である。
【図４７】図４７は、図４３のラインＪ−Ｊに沿って取られた断面図である。
【図１】
2007059392.tif 000003
【図２】
2007059392.tif 000004
【図３】
2007059392.tif 000005
【図４】
2007059392.tif 000006
【図５】
2007059392.tif 000007
【図６】
2007059392.tif 000008
【図７】
2007059392.tif 000009
【図８】
2007059392.tif 000010
【図９】
2007059392.tif 000011
【図１０】
2007059392.tif 000012
【図１０ａ】
2007059392.tif 000013
【図１１】
2007059392.tif 000014
【図１１ａ】
2007059392.tif 000015
【図１１ｂ】
2007059392.tif 000016
【図１２】
2007059392.tif 000017
【図１３】
2007059392.tif 000018
【図１４】
2007059392.tif 000019
【図１５】
2007059392.tif 000020
【図１６】
2007059392.tif 000021
【図１７】
2007059392.tif 000022
【図１８】
2007059392.tif 000023
【図１９】
2007059392.tif 000024
【図２０】
2007059392.tif 000025
【図２１】
2007059392.tif 000026
【図２２】
2007059392.tif 000027
【図２３】
2007059392.tif 000028
【図２４】
2007059392.tif 000029
【図２５】
2007059392.tif 000030
【図２６】
2007059392.tif 000031
【図２７】
2007059392.tif 000032
【図２８】
2007059392.tif 000033
【図２９】
2007059392.tif 000034
【図３０】
2007059392.tif 000035
【図３１】
2007059392.tif 000036
【図３２】
2007059392.tif 000037
【図３３】
2007059392.tif 000038
【図３４】
2007059392.tif 000039
【図３５】
2007059392.tif 000040
【図３６】
2007059392.tif 000041
【図３７】
2007059392.tif 000042
【図３８】
2007059392.tif 000043
【図３９】
2007059392.tif 000044
【図４０】
2007059392.tif 000045
【図４１】
2007059392.tif 000046
【図４２】
2007059392.tif 000047
【図４３】
2007059392.tif 000048
【図４４】
2007059392.tif 000049
【図４５】
2007059392.tif 000050
【図４６】
2007059392.tif 000051
【図４７】
2007059392.tif 000052
【外国語明細書】
2007059392000001.pdf